(57)【要約】【課題】遠隔地のカレット処理業者や他用途使用業者が自由に参加可能なインターネットを用いたガラスびんカレット取引システムを提供することを課題とする。【解決手段】本発明はガラスびんカレット取引システムであって、サーバ１４が、発注側クライアント１３から入力された発注条件を記憶するステップと、ガラスびん供給側クライアント１１から入力されたガラスびん供給条件を記憶するステップと、カレット処理側クライアント１２から入力された商品取引条件を記憶するステップと、発注条件がガラスびんに関するものである場合には、発注条件中の発注量に所定係数を掛けた量のガラスびんに対応可能な、複数のガラスびん供給条件および商品取引条件の少なくとも一方を、発注側クライアントに対して送信するステップを有する。【選択図】　図１
2004030520.tif 000002
【特許請求の範囲】
【請求項１】
ガラスびん供給側クライアント、カレット処理側クライアント、および発注側クライアントにインターネットを介して接続可能に構成されているサーバを備えたガラスびんカレット取引システムであって、
前記サーバが、
前記発注側クライアントを介して入力された発注条件を記憶するステップと、前記ガラスびん供給側クライアントを介して入力されたガラスびん供給条件を記憶するステップと、
前記カレット処理側クライアントを介して入力された商品取引条件を記憶するステップと、
前記発注条件がガラスびんに関するものである場合には、前記発注条件中の発注量に所定係数を掛けた量のガラスびんに対応可能な、複数の前記ガラスびん供給条件および前記商品取引条件の少なくとも一方を、前記発注側クライアントに対して送信するステップと、
前記発注条件がカレットに関するものである場合には、前記発注条件中の発注量に所定係数を掛けた量のカレットに対応可能な、複数の前記商品取引条件を、前記発注側クライアントに対して送信するステップと
を有することを特徴とするガラスびんカレット取引システム。
【請求項２】
前記所定係数が１以上である
請求項１に記載のガラスびんカレット取引システム。
【請求項３】
前記商品取引条件中に、カレット処理業者に関する所在地情報が含まれており、
前記サーバが、前記所在地情報に基づき、より近隣に位置する前記カレット処理業者に関する前記商品取引条件を、優先的に前記発注側クライアントに対して送信する
請求項１または２に記載のガラスびんカレット取引システム。
【請求項４】
前記商品取引条件中に、ガラスびんおよびカレットの種類に関する種類情報が含まれており、
前記サーバが、前記種類情報に基づき、前記発注条件により適合した前記種類情報を有する前記商品取引条件を、優先的に前記発注側クライアントに対して送信する
請求項１から３のいずれか１項に記載のガラスびんカレット取引システム。
【請求項５】
前記ガラスびん供給条件中には供給時期情報が含まれ、前記発注条件中には使用時期情報が含まれており、
前記サーバが、前記供給時期情報および前記使用時期情報に基づいて、ガラスびんおよびカレットの少なくとも一方に関する最適な取引スケジュール情報を送信可能である
請求項１から４のいずれか１項に記載のガラスびんカレット取引システム。
【請求項６】
取引されたガラスびんカレットおよびその再生使用状況が、前記サーバに記憶されている
請求項１から５のいずれか１項に記載のガラスびんカレット取引システム。
【請求項７】
前記サーバが、クライアントからの要求に応じて、随意契約成立分ガラスびんの再商品化製品使用証明書を発行することが可能である
請求項１から６のいずれか１項に記載のガラスびんカレット取引システム。
【請求項８】
ガラスびん供給側クライアント、カレット処理側クライアント、および発注側クライアントにインターネットを介して接続可能に構成されているサーバを備えたガラスびんカレット取引システムであって、
前記サーバが、
前記発注側クライアントを介して入力された発注条件を記憶するステップと、前記ガラスびん供給側クライアントを介して入力されたガラスびん供給条件を記憶するステップと、
前記カレット処理側クライアントを介して入力された商品取引条件を記憶するステップと、
前記発注条件、前記ガラスびん供給条件、および前記商品取引条件の少なくとも一つの条件に対応可能な、一つあるいは複数の前記発注条件、前記ガラスびん供給条件、あるいは前記商品取引条件のいずれかを抽出するステップと、
抽出された条件が、前記ガラスびん供給側クライアント、カレット処理側クライアント、および前記発注側クライアントの少なくとも一つのクライアントに対して送信されるステップと
を有することを特徴とするガラスびんカレット取引システム。
【発明の詳細な説明】
【０００１】
【発明の属する技術分野】
本発明は、ガラスびん供給側クライアント、カレット処理側クライアント、および発注側クライアントにインターネットを介して接続可能に構成されているサーバを備えたガラスびんカレット取引システムに関するものである。
【０００２】
【従来の技術】
現在、飲料等を充填して市場で流通・販売等されているガラスびんは、使用後に廃棄物として回収され、再資源化されている。具体的には、回収された使用済みガラスびんの再資源化手段としては、洗浄等を経て再び飲料等を充填して「再使用」される場合（リターナルびん）と、カレットに加工された後に「再生使用」される場合（ワンウェイびん）とがある。
ここでいう「カレット」とは、回収された使用済みガラスびんを細かく破砕等して得られるものをいう。
【０００３】
日本で生産されているガラスびんは、２０００年度の実績で約１８０万トン程度であり、このガラスびんを製造する際の原料としては、その約７８％にカレットが用いられている。そして、環境保護等の観点から、ガラスびんのリサイクル率をさらに高めると共に、ガラスびん製造の際においては、このカレットの使用率をさらに高めることが望まれている。
【０００４】
しかし、ガラスびん需要量の低下や、ガラスびん製造時におけるカレットの使用率にも限界があるために、回収されて「再生使用」するためのガラスびんおよびカレットの使用方法が種々模索されている。特に、着色されたカレットについては、ガラスびんへの再生使用に制限がある（色によってはガラスびんへの再生使用に不適当なものがある）ため、より効果的な再生使用方法、およびガラスびん以外で使用するための用途の開発が望まれている。
【０００５】
このような状況下において、カレットの用途開発が様々な方向からなされており、近年においては、例えば、道路舗装材、埋め戻し材、アスファルト用の骨材等の建設用資材として、カレットが試験的に使用されだしている。
つまり、従来のガラスびん関連会社（ガラスびん製造メーカ、ガラスびん利用メーカ等）以外の他業種の会社（道路舗装会社、建築関連会社等）において、カレットの試験的使用が進んできている。
【０００６】
すなわち、上述したように、製造されたガラスびんは、再資源化の方法として、「再使用」されるものと「再生使用」されるものとがあり、その再資源化を行う際、再使用のときは「ガラスびん」そのままの状態で搬送され用いられている。そして、再生使用のときは、使用済みガラスびんを色別に分別した状態で搬送され「カレット」に加工される場合と、「カレット」に加工された後にカレット使用事業者の元に搬送され用いられる場合とがある。
また、再資源化を行う主体としては、「ガラスびん製造業者」および「ガラスびん利用業者」（以下、「ガラス関連業者」という。）の他に、道路舗装会社あるいは建築関連会社等の「他用途使用業者」があげられる。
【０００７】
さて、以上のようにして、積極的に再資源化が図られるガラスびんは、「再使用」の場合を除くと、一般にガラスびん利用業者（ガラスびんを利用する中身製造業者もしくは小売・卸売業者）等から出てくる事業系廃棄物と、一般家庭から出てくる家庭系廃棄物とに分けられるが、その内の家庭系廃棄物の場合には、市町村にて回収された後に、指定法人を介した入札等の手続（以下、「入札制度」ともいう。）を経て、「再生使用」される形態がとられている。
具体的には、法律によって特定容器の再商品化義務を負うガラス関連業者等が、自社の年間排出見込み量を計算して指定法人に申告し、その分の再商品化を委託する。そして、市町村と、カレット処理業者（ガラスびんをカレットに加工等する者）と、ガラス関連業者と、他用途使用業者等との間に、指定法人が介在して、市町村から提示された使用済みガラスびん（別に「ソースカレット」ともいうが、以下単に「ガラスびん」という。）の引取予定数量（回収数量）に対して、取引入札が行われる。この入札には、ガラス関連業者もしくは他用途使用業者（買い手）からの引取同意書を有する再商品化事業者（カレット処理業者等）のみが参加可能となっている。
つまり、この入札制度によってガラスびんを取得したカレット処理業者が、適宜必要な洗浄、破砕等の加工を施した後に、カレットの引取手（買い手）であるガラス関連業者もしくは他用途使用業者にカレットを搬送して、搬送されたカレットはそれぞれの用途に応じて「再生使用」されている。
【０００８】
【発明が解決しようとする課題】
しかしながら、上記従来技術においては、次のような問題があった。
【０００９】
上記入札制度においては、ガラス関連業者もしくは他用途使用業者からの引取同意書を有するカレット処理業者のみが、入札参加資格を有していたため、実質的には、入札に参加するカレット処理業者は、ガラス関連業者等が集中する関東以西の都市圏およびその近傍に所在する者に限られる傾向にあった。つまり、ガラス関連業者との取引関係が薄いカレット処理業者や、遠隔地に所在するカレット処理業者は、引取同意書を得にくく、入札に際してハンディキャップを負うという問題があった。
【００１０】
また、他用途使用業者においても、基本的にガラス関連業者やカレット処理業者との取引関係が薄いため、効果的に（「低価格にて」「必要なときに」「必要な量の」等）カレットを得ることが困難であるという問題があった。
【００１１】
さらに、ガラスびんに再生する場合には、遠隔地の市町村で回収されたガラスびんを、わざわざ関東以西の都市圏に集中するカレット処理工場、およびガラスびん製造工場まで搬送しなければならないので、その分の搬送費等で大きなコストアップになるという問題があった。
【００１２】
なお、ガラスびんおよびカレットの取引については、上記入札制度を利用する以外にも、各事業者が随意に行うことも可能である。
しかし、現段階においては、上述した入札制度以外に、市町村、ガラス関連業者、他用途使用業者、およびカレット処理業者の間で、ガラスびん等を随意に取引可能なシステムは存在していない。
【００１３】
すなわち、現在は、上記入札制度を用いたガラスびんおよびカレットの流通態様以外に、ガラスびんおよびカレットを流通させる手段が存在しないために、指定法人への再商品化委託料は、遠隔地からの搬送コストも含めた経費増が反映されるかたちとなっている。また、法律では、小規模事業者への再商品化義務が適用除外になった分、市町村に負担が要求されるようになった。
【００１４】
つまり、流通システム全体としての自由度が少なく、至る所で無駄なコストが生じているために、オープンな流通システムの開発が期待されていた。オープンな流通システムが構築されれば、無駄なコストの低減は勿論のこと、全国各地のカレット処理業者や他用途使用業者に対する間口が広がり、例えばガラスびんを回収する市町村毎に道路舗装材等への再生使用が容易になること等によって、ガラスびんのリサイクル率およびカレットの使用率（ガラス関連業者におけるカレット使用率、および他用途使用業者におけるカレット使用率）がさらに高まるものとして期待されている。
【００１５】
そこで、本発明は、上記従来の問題を解決するためになされたものであって、遠隔地のカレット処理業者や他用途使用業者が自由に参加可能なインターネットを用いたガラスびんカレット取引システムを提供することを課題とし、具体的には、ガラスびん供給側クライアント、カレット処理側クライアント、および発注側クライアントにインターネットを介して接続可能に構成されているサーバを備えたガラスびんカレット取引システムを提供することを課題とする。
【００１６】
【課題を解決するための手段】
すなわち、上記課題を解決するための本発明は、ガラスびん供給側クライアント、カレット処理側クライアント、および発注側クライアントにインターネットを介して接続可能に構成されているサーバを備えたガラスびんカレット取引システムであって、前記サーバが、前記発注側クライアントを介して入力された発注条件を記憶するステップと、前記ガラスびん供給側クライアントを介して入力されたガラスびん供給条件を記憶するステップと、前記カレット処理側クライアントを介して入力された商品取引条件を記憶するステップと、前記発注条件がガラスびんに関するものである場合には、前記発注条件中の発注量に所定係数を掛けた量のガラスびんに対応可能な、複数の前記ガラスびん供給条件および前記商品取引条件の少なくとも一方を、前記発注側クライアントに対して送信するステップと、前記発注条件がカレットに関するものである場合には、前記発注条件中の発注量に所定係数を掛けた量のカレットに対応可能な、複数の前記商品取引条件を、前記発注側クライアントに対して送信するステップとを有することを特徴としている。
【００１７】
ここで、「ガラスびん供給側クライアント」とは、ガラスびんを一般家庭から分別収集した市町村、およびガラスびん利用業者等であって、ガラスびんを保有・保管している（ストックヤード等を有する）者が操作可能なＰＣ等の端末である。また、「カレット処理側クライアント」とは、再生処理業者、および再生処理業者と運搬業者とのジョイントグループ等であって、ガラスびんの運搬、ガラスびんからカレットへの処理、およびカレットの運搬等を行う者が操作可能なＰＣ等の端末である。また、「発注側クライアント」とは、ガラスびん製造業者、およびガラスびんの製造以外に使用する他用途使用業者（道路舗装会社、建築関連会社等）であって、ガラスびん、あるいは再生処理を経て得られたカレットの少なくとも一方を使用しようとする者が操作可能なＰＣ等の端末である。
また、「発注条件」とは、例えば、カレットおよびガラスびんの少なくとも一方に関する発注条件であって、種類（色、粒度）、量（購入数量）、価格、納期、使用時期、使用用途等の発注時における種々の条件（買入情報を含む）をいう。また、「ガラスびん供給条件」とは、例えば、種類（色）、量（供給数量）、価格、供給時期、供給条件等のガラスびん供給時における種々の条件（供給情報を含む）をいう。また、「商品取引条件」とは、例えば、種類（色、粒度）、量（販売数量）、価格、納期等のカレット取引時における種々の条件（販売情報を含む）をいう。
【００１８】
なお、「サーバ」とは、各クライアントから入力される種々の情報資源を集中的に管理するハードウエアまたはソフトウエアであって、本発明においては、種々の情報資源の分析、抽出、送信等を行うべく構成されている。また、「サーバ」は、一台のＰＣ（パーソナルコンピュータ）等のハードウエアにて構成されているものに限定されず、情報収集用、情報分析用、情報送信用等に対応した複数のハードウエア等を用いて構成されてもよい。さらに、「クライアント」とは、サーバからのサービスを利用可能にするためのもので、ネットワーク上に設けられたＰＣや、その上で動作しているハードウエアまたはソフトウエアのことをいう。
【００１９】
このような構成によれば、前記発注側クライアントには、発注量以上の量（発注量の所定係数倍の量）に対応した情報が、前記サーバから送信される。つまり、前記発注側クライアントにおいては、前記所定係数が１以上であれば、前記発注量に対して「相見積もり」を受け取るような態様となるため、発注者は、より適した条件（価格、量等）を選択した上で、実際の取引を行うことが可能となる。
したがって、本発明にかかるガラスびんカレット取引システムにおいては、前記所定係数が１以上である構成が好ましい。
ただし、取引者間における需要量あるいは供給量の関係から、希望する発注量に供給可能量が満たない場合も考えられるため、かかる場合には、サーバにおいて所定係数を変更可能（例えば、「１以上の所定係数」から「１以下の所定係数」への変更）に構成してもよい。
【００２０】
また、本発明にかかるガラスびんカレット取引システムにおいては、前記商品取引条件中に、カレット処理業者に関する所在地情報が含まれており、前記サーバが、前記所在地情報に基づき、より近隣に位置する前記カレット処理業者に関する前記商品取引条件を、優先的に前記発注側クライアントに対して送信する構成が好ましい。
【００２１】
この好ましい構成によれば、サーバから、より近隣に位置する前記カレット処理業者の情報が優先的に送信されるため、発注者は、容易に近隣の前記カレット処理業者との取引を実現することができる。
【００２２】
また、本発明にかかるガラスびんカレット取引システムにおいては、前記商品取引条件中に、ガラスびんおよびカレットの色、粒度等の種類に関する種類情報が含まれており、前記サーバが、前記種類情報に基づき、前記発注条件により適合した前記種類情報を有する前記商品取引条件を、優先的に前記発注側クライアントに対して送信する構成が好ましい。
【００２３】
この好ましい構成によれば、発注者が欲するガラスびんおよびカレットの種類に適合した情報が優先的に送信されるため、発注者は、容易に所望のカレット等の取引を実現することができる。
【００２４】
また、本発明にかかるガラスびんカレット取引システムにおいては、前記ガラスびん供給条件中には供給時期情報が含まれ、前記発注条件中には使用時期情報が含まれており、前記サーバが、前記供給時期情報および前記使用時期情報に基づいて、ガラスびんおよびカレットの少なくとも一方に関する最適な取引スケジュール情報を送信可能である構成が好ましい。
【００２５】
この好ましい構成によれば、発注者等は、容易により最適な取引スケジュールに基づいて、カレット等の取引を実現することが可能となる。
【００２６】
また、本発明にかかるガラスびんカレット取引システムにおいては、取引されたガラスびん・カレットおよびその再生使用状況が、前記サーバに記憶されている構成が好ましい。
【００２７】
この好ましい構成によれば、前記サーバにおいて、取引されたガラスびん・カレットおよびその再生使用状況が把握可能であるため、随意取引等であっても、的確に種々のデータ（取引データ）を容易に管理、証明等することができる。
【００２８】
すなわち、本発明にかかるガラスびんカレット取引システムにおいては、前記サーバが、クライアントからの要求に応じて、随意契約成立分ガラスびんの再商品化製品使用証明書を発行することが可能である構成が好ましい。
【００２９】
さらに、上記課題を解決するための本発明は、ガラスびん供給側クライアント、カレット処理側クライアント、および発注側クライアントにインターネットを介して接続可能に構成されているサーバを備えたガラスびんカレット取引システムであって、前記サーバが、前記発注側クライアントを介して入力された発注条件を記憶するステップと、前記ガラスびん供給側クライアントを介して入力されたガラスびん供給条件を記憶するステップと、前記カレット処理側クライアントを介して入力された商品取引条件を記憶するステップと、前記発注条件、前記ガラスびん供給条件、および前記商品取引条件の少なくとも一つの条件に対応可能な、一つあるいは複数の前記発注条件、前記ガラスびん供給条件、あるいは前記商品取引条件のいずれかを抽出するステップと、抽出された条件が、前記ガラスびん供給側クライアント、カレット処理側クライアント、および前記発注側クライアントの少なくとも一つのクライアントに対して送信されるステップとを有することを特徴としている。
ここで、「発注条件」には、後述する買入情報（図６参照）が含まれ、「ガラスびん供給条件」には、後述する供給情報（図７参照）が含まれ、「商品取引条件」には、後述する販売情報（図８参照）が含まれる。
【００３０】
このような構成によれば、前記サーバに対して、上述した種々の条件が蓄積されることによって、それぞれの条件に対応可能な他の条件が抽出されて、かかる条件が必要に応じて対応するクライアントに送信されるため、より効率的なシステムを実現して、ガラスびんのリサイクル率およびカレットの使用率（ガラス関連業者におけるカレット使用率、および他用途使用業者におけるカレット使用率）をさらに高めることが可能となる。
【００３１】
【発明の実施の形態】
以下、図面に基づいて、本発明の実施の形態を説明する。
【００３２】
図１は、本発明の実施形態にかかるガラスびんカレット取引システムの概略図を示したものである。
この図１から明らかなように、本実施形態にかかるガラスびんカレット取引システム（以下、単に「本システム」ともいう。）は、ガラスびん供給側クライアント１１と、カレット処理側クライアント１２と、発注側クライアント１３と、サーバ１４等とを用いて構成されている。より具体的には、本システムは、各クライアント１１，１２，１３にインターネット１５を介して接続可能に構成されたサーバ１４を備えたシステムである。
なお、この図１においては、各クライアント１１，１２，１３を一つずつ示しているが、これは図面の複雑化を回避するためであり、実際には、本システムは、多数のクライアント１１，１２，１３を用いて構成されている。また、サーバ１４は、一台のＰＣ（パーソナルコンピュータ）等にて構成されてもよく、あるいは複数台のＰＣ等にて構成されてもよい。
【００３３】
ガラスびん供給側クライアント１１とは、ガラスびんを一般家庭から分別収集した市町村等に設けられたクライアント（市町村等クライアント１１Ａ）、およびガラスびんを利用する中身製造業者もしくは小売業・卸売業者等の有するクライアント（ガラスびん利用業者クライアント１１Ｂ）であって、ガラスびんを保有・保管している（ストックヤード等を有する）者が操作可能なＰＣ等の端末である。もし、ここで市町村等が破砕機を所有している場合には、カレット処理側クライアントを兼用することも可能である。
【００３４】
また、カレット処理側クライアント１２とは、再生処理業者、運搬業者、および再生処理業者と運搬業者とのジョイントグループ等の再商品化事業者の有するクライアントであって、ガラスびんの運搬、ガラスびんからカレットへの処理、およびカレットの運搬等を行う者が操作可能なＰＣ等の端末である。
【００３５】
また、発注側クライアント１３とは、ガラスびん製造業者、およびガラスびんの製造以外に使用する他用途使用業者（道路舗装会社、建築関連会社等）等の再商品化製品使用事業者の有するクライアントであって、ガラスびん、あるいは再生処理を経て得られたカレットの少なくとも一方を使用する者が操作可能なＰＣ等の端末である。もし、ここでガラスびん製造業者または他用途使用業者が破砕機を所有する場合には、カレット処理側クライアントを兼用することも可能である。
【００３６】
さらに、サーバ１４は、各クライアント１１，１２，１３から入力される種々の情報資源を集中的に管理するハードウエアまたはソフトウエアであって、本実施形態においては、種々の情報資源の分析、抽出、送信等を行うべく構成されている。また、このサーバ１４は、一台のＰＣ等のハードウエアにて構成されているものに限定されず、情報収集用、情報分析用、情報送信用等に対応した複数のハードウエア等を用いて構成されてもよい。
【００３７】
図２は、本実施形態にかかるガラスびんカレット取引システムのフローチャートを示したものである。
以下、図１および図２等に基づいて、本システムの構成および機能等について詳細に説明する。
【００３８】
まず、本システムを構成するサーバ１４は、会員登録（会員情報登録）および企業登録（企業情報登録）等を広く呼びかけるべく、インターネット１５上に本システムに関するＷｅｂサイトを開設している。そして、このＷｅｂサイトを介して、インターネット１５上のＰＣ等を用いて、新規会員等の登録、および発注条件等の入力が行われ、これら種々の情報がサーバ１４に記憶蓄積される。
【００３９】
インターネット１５を介して、本システムのサーバ１４にＰＣ等からのアクセスがなされると（ステップＳ２０１）、リサイクル分析を行うか否かが判断される（ステップＳ２０２）。
なお、この図２においては、サーバ１４にアクセス（Ｓ２０１）した後、リサイクル分析を行うか否か（Ｓ２０２）、発注条件登録か否か（ステップＳ２０４）、および供給、取引条件登録か否か（ステップＳ２２２）の判断を行った後に、新規の会員、企業情報登録か否か（ステップＳ２３０）を判断すべく構成されているが、本発明は、この構成に限定されない。したがって、例えば、アクセス後、直ちに新規登録等か否かの判断を求め、新規登録である場合には、即座にステップＳ２３０以降の処理を行うべく、システムを構成してもよい。
【００４０】
リサイクル分析を行う場合（Ｓ２０２にてＹｅｓ）には、サーバ１４は、クライアントからの指示に応じて、要求された「分析シート」を作成した後、かかるシートをクライアントに送信する（ステップＳ２０３）。
具体的には、サーバ１４は、クライアントからの要求に基づいて、会員登録区分毎に予め表示フォームが定められている「リサイクル需給バランスシート」、「リサイクル促進バランスシート」、「リサイクル契約履行バランスシート」等の「分析シート」を、クライアントに送信すべく、抽出処理および演算処理等を行う。つまり、契約情報データベース中の契約情報テーブル、企業情報データベース中のガラスびん供給量テーブル、商品（ガラスびん、カレット）取引量（引取量、販売量、購入量、使用量等）テーブル、保管量テーブル等から必要なデータを抽出して、比較判断・演算処理等を行って「分析シート」を作成し、この「分析シート」の作成を要求したクライアントに対して専用データとして提供（送信等）する。
この「分析シート」を入手したクライアント利用者は、このようにして得られた種々の専用の各種バランスシートを参照して、リサイクルの最初（回収）から最後（再生使用）までを把握しながら、自らの今後のリサイクル計画（ガラスびん取引計画（供給計画、引取計画、購入計画、再生処理計画）、カレット取引計画（販売計画、購入計画、使用計画））を立案、決定することができる。
【００４１】
ここで、上記「分析シート」（リサイクル需要バランスシート、リサイクル促進バランスシート、リサイクル契約履行バランスシート）とは、例えば、ガラスびん供給者（市町村、ガラスびん利用業者等）、商品取引者（再生処理業者等）、あるいは発注者（ガラスびん製造業者、他用途使用業者等）における各月毎のガラスびんの回収量，供給量（随意分、委託分），引取量（随意分、委託分），在庫量、およびカレットの使用量（随意分、委託分），購入量（随意分、委託分），販売量（随意分、委託分），在庫量等を、必要に応じて集計したシートである。
【００４２】
リサイクル分析実施（Ｓ２０３）の後、およびリサイクル分析を行わない場合（Ｓ２０２にてＮｏ）には、次いで、発注条件を登録するか否かの判断が求められる（ステップＳ２０４）。
【００４３】
発注条件を登録する場合（Ｓ２０４にてＹｅｓ）には、発注側クライアント１３を介して（Ｗｅｂサイト内のデータアクセスページを用いて）、サーバ１４に対して、発注条件の入力が行われる（ステップＳ２０５）。クライアント利用者には、それぞれＩＤ番号等が付されており、サーバ１４内においては、それぞれのＩＤ番号等にて、種々の情報（発注条件、所在地、本システム利用状況等）が管理されている。したがって、ここで入力された発注条件は、クライアント利用者のＩＤ番号にて管理されることとなり、ＩＤ番号に関連づけられた発注条件データベースに登録される。
【００４４】
図３は、Ｗｅｂページで発注条件の入力を行う際に使用される、「データアクセスページ」の一例を示したものである。
この図３に示されたＷｅｂページ画面の一例においては、ＩＤ番号記載欄３１、パスワード記載欄３２が設けられているため、入力されたデータがＩＤ番号等に応じて、サーバ１４内に適切に登録管理される。また、画面上においては、発注条件登録内容３３として、例えば、「発注商品番号」（発注時における発注商品を特定する番号）、「粒度番号」（カレット粒度を示す番号）、「発注数量」、「発注希望価格（発注希望単価）」、「納期」、「使用目的」、「納入場所」、「使用時期」等が入力される。
なお、所定の発注条件の登録が終了した後には、発注側クライアント１３における処理は終了する。
【００４５】
発注条件の登録（Ｓ２０５）が終了した後、サーバ１４においては、検索抽出処理（ステップＳ２０６）が行われる。
検索抽出処理（Ｓ２０６）とは、サーバ１４が、発注条件が蓄積管理されている発注条件データベースから発注条件登録日を抽出して、新規登録が確認された発注側クライアント１３利用者の所在地を発注条件データベースから読み出し、かかる利用者（発注者）と同一市町村あるいは同一県内に所在するガラスびん供給者（市町村あるいはガラスびん利用業者等）のデータを、サーバ１４のデータベース内から検索して抽出する処理である。
【００４６】
なお、本実施形態においては、ガラスびん供給者（ガラスびん供給側クライアント１１の利用者）に関するデータが、すでにサーバ１４内に蓄積管理されている場合について示しており、ガラスびん供給者についても、上述した発注者と略同様の手続を介して（Ｗｅｂサイト内のデータアクセスページを用いて）、データ入力が行われる。
例えば、図４は、Ｗｅｂページでガラスびん供給条件の入力を行う際に使用される、「データアクセスページ」の一例を示したものである。
この図４に示されたＷｅｂページ画面の一例においては、ＩＤ番号記載欄４１、パスワード記載欄４２が設けられているため、ガラスびん供給条件についても先の発注条件と同様に、入力されたデータがＩＤ番号等に応じて、サーバ１４内に適切に登録管理される。また、画面上においては、ガラスびん供給条件登録内容４３として、例えば、「供給商品番号」（供給する商品を特定する番号）、「供給数量」、「供給価格（供給単価）」、「納期」、「供給条件」（例えば、「ストックヤード渡しで無償」、「ストックヤード渡しで逆有償」等）、「供給時期」等が入力される。
【００４７】
次いで、検索抽出処理（Ｓ２０６）の後、サーバ１４においては、選別処理（ステップＳ２０７）が行われる。
ここでの選別処理（Ｓ２０７）とは、サーバ１４が、抽出したガラスびん供給者のデータを、同一市町村とそれ以外のものに分離し、同一市町村以外のものについては数値（例えば郵便番号）順に並べ替え、次いで同一市町村に所在するものから、予め設定した優先度（契約係数、契約履行係数、品質係数等を用いて計算される優先度）の順位に従って、発注数量に所定係数（例えば１．５）を掛けた量に相当する量のガラスびんが確保できるまで、ガラスびん供給者を選別する処理である。
【００４８】
ここで、「契約係数」とは、過去半年間における契約回数に基づく係数である。具体的には、例えば、契約回数が１回であれば「１」、２〜３回であれば「２」、４〜６回であれば「４」、７〜９回であれば「６」、１０〜１９回であれば「８」、２０回以上であれば「１０」等のように設定する。
また、「契約履行係数」とは、過去半年間における契約達成率と契約係数との比率を示す係数である。契約達成率は、引取量に対する販売量と、販売量に対する使用量とに別れ、この契約達成率は、１回の契約毎に１００％とし、それを積算した率とする。したがって、例えば、契約達成率が１９０％で契約回数が２回の場合、「契約履行係数」は、「９５」（＝１９０／２）となる。
また、「品質係数」とは、過去半年間におけるクレーム回数等に基づく係数である。具体的には、例えば、軽度クレームの回数が１回であれば「−１」、２〜３回であれば「−２」、４〜６回であれば「−４」、７〜９回であれば「−７」、１０〜１３回であれば「−１０」、１４回以上であれば「−２０」等のように設定する。さらに、この「品質係数」については、クレームの重みに応じて（重度クレーム等のときには）、重度クレーム１回につき「−５」を付加すべく設定してもよい。
本実施形態においては、上記「契約係数」、「契約履行係数」、および「品質係数」を加算した値を「優先度」として演算し、この優先度の値が大きい順番に、優先順位が定められる。ただし、新規に取引を行う取引者については、かかる「優先度」の演算結果が「０」となるため、新規の取引者が１回目（初回）の取引を行う場合にのみ、優先順位が「１位」となるべく設定する。
【００４９】
次いで、選別処理（Ｓ２０７）の後、サーバ１４においては、送信処理（ステップＳ２０８）が行われる。
ここでの送信処理（Ｓ２０８）とは、サーバが、選別処理（Ｓ２０７）にて選別されたガラスびん供給者（市町村、ガラスびん利用業者等）に対して、発注者からの発注条件と、それに対するガラスびん供給条件のサーバ１４への提示（登録）締め切り日とを、メール等にて送信する処理である。
【００５０】
次いで、サーバ１４においては、抽出確認処理（ステップＳ２０９）が行われる。
ここでの抽出確認処理（Ｓ２０９）とは、サーバ１４が、ガラスびん供給条件等を蓄積管理しているガラスびん供給条件データベースから供給条件登録日を抽出して、ガラスびん供給者からのガラスびん供給条件新規登録を確認する処理である。
【００５１】
次いで、発注者からの発注商品がガラスびんか否かの判断がなされる（ステップＳ２１０）。すなわち、ステップＳ２０４にて登録された発注条件において、発注者が、ガラスびんの買入を希望しているか否かが判断される。
ここで、発注商品がガラスびんである場合（Ｓ２１０にてＹｅｓ）には、サーバ１４からガラスびん供給条件の送信（ステップＳ２１１）が行われた後に、サーバ１４を介して商談が開始される（ステップＳ２１２）。
具体的には、ステップＳ２１１においては、サーバ１４が、ガラスびん供給条件データベースから、締め切り日までに届いた（登録された）ガラスびん供給者からのガラスびん供給条件を抽出して集計したものを、発注者宛に、発注条件に対するガラスびんの供給条件としてメールにて送信する。
そして、上記ガラスびん供給条件送信（Ｓ２１１）時において、発注者は、発注数量の所定係数倍（１．５倍）に相当する量の「相見積もり」となるガラスびん供給条件を得ることができる。したがって、発注者は、得られたガラスびん供給条件の中から、自分にとって最適条件となる取引対象者（市町村、ガラスびん利用業者等）を選択して、サーバ１４を介して商談を開始することが可能となる（Ｓ２１２）。ステップＳ２１２の後は、後述するステップＳ２１９以降の処理が行われる。
【００５２】
また、発注商品がガラスびんでない場合（Ｓ２１０にてＮｏ）には（すなわち、発注商品がカレットである場合には）、サーバ１４にて、検索抽出処理（ステップＳ２１３）、選別処理（ステップＳ２１４）、送信処理（ステップＳ２１５）、抽出確認処理（ステップＳ２１６）、および商品取引条件送信（ステップＳ２１７）が行われた後に、サーバ１４を介した商談が開始される（ステップＳ２１８）。
【００５３】
ここでの検索抽出処理（Ｓ２１３）とは、サーバ１４が、ガラスびん供給条件データベースから、締め切り日までに届いた（登録された）ガラスびん供給者からのガラスびん供給条件を抽出して集計し、次いで、発注者の所在地と同一市町村あるいは同一県内に所在する再生処理業者のデータを、会員情報データベースから検索し抽出する処理である。
また、選別処理（Ｓ２１４）とは、サーバ１４が、検索抽出処理（Ｓ２１３）にて抽出された再生処理業者のデータを同一市町村とそれ以外のものとに分離し、同一市町村以外のものは数値（例えば郵便番号）順に並べ替え、次いで同一市町村に所在するものから、予め設定した優先度（契約係数、契約履行係数、品質係数等）の順位に従って、上位から所定数まで（例えば上位から３社まで）の再生処理業者を選別する処理である。なお、優先度については、基本的に、先に説明したものと同様の演算方法にて行う。
また、送信処理（Ｓ２１５）とは、サーバ１４が、選別処理（Ｓ２１４）にて選別された再生処理業者に対して、発注者からの発注条件と、ガラスびん供給者から提示されたガラスびんの供給条件と、これらの条件（発注条件および供給条件）に対するカレット販売条件（本発明の「商品取引条件」に相当）のサーバ１４への提示（登録）締め切り日を送信する処理である。
また、抽出確認処理（Ｓ２１６）とは、サーバ１４が、商品取引条件データベース（カレット販売条件データベース）から販売条件登録日を抽出して、再生処理業者からのカレット販売条件新規登録を確認する処理である。
また、商品取引条件送信（Ｓ２１７）とは、サーバ１４が、商品取引条件データベース（カレット販売条件データベース）から締め切り日までに届いた（登録された）再生処理業者からのカレット販売条件を抽出して集計したものを、発注者宛に、発注条件に対するカレットの販売条件（商品取引条件）としてメールにて送信する処理である。
【００５４】
そして、上記商品取引条件送信（Ｓ２１７）時において、発注者は、複数社（例えば３社）からの「相見積もり」の態様にて、商品取引条件（カレット販売条件）を得ることができる。したがって、発注者は、得られた商品取引条件の中から、自分にとって最適条件となる取引対象事業者を選択して、サーバ１４を介して商談を開始することが可能となる（Ｓ２１８）。
【００５５】
なお、上記本実施形態においては、再生処理業者（カレット処理側クライアント１２の利用者）に関するデータが、すでにサーバ１４内に蓄積管理されている場合について示しており、この再生処理業者についても、先に説明した発注者およびガラスびん供給者と略同様の手続を介して（Ｗｅｂサイト内のデータアクセスページを用いて）、データ入力が行われる。
例えば、図５は、Ｗｅｂページで商品取引条件（例えば、カレット販売条件）の入力を行う際に使用される、「データアクセスページ」の一例を示したものである。
この図５に示されたＷｅｂページ画面の一例においては、ＩＤ番号記載欄５１、パスワード記載欄５２が設けられているため、商品取引条件についても先の発注条件等と同様に、入力されたデータがＩＤ番号等に応じて、サーバ１４内に適切に登録管理される。また、画面上においては、カレット販売条件登録内容５３として、例えば、「販売商品番号」（商品取引時における各販売商品を特定する番号）、「粒度番号」（カレット粒度を示す番号）、「販売数量」、「販売価格（販売単価）」、「納期」、「販売条件」等が入力される。
【００５６】
ステップＳ２１２およびＳ２１８にて商談が開始された後、商談が成立すれば、サーバ１４を介して契約書を締結し、契約商品の代金決済（銀行振込）、契約商品の供給、受入、納品等が、商談成立者間（発注者と、ガラスびん供給者および再生処理業者等との間）にて行われる（ステップＳ２１９）。
【００５７】
上記商談成立後処理（Ｓ２１９）が行われた後には、次いで、必要に応じて（クライアントからの要求に応じて）、「証明書」送信処理（ステップＳ２２０）および申告処理等（ステップＳ２２１）が行われて、本システムを用いて発注条件が登録された後（Ｓ２０４にてＹｅｓと判断された後）の一連の処理が終了する。
【００５８】
ここで、「証明書」送信処理（Ｓ２２０）とは、サーバ１４が、ガラスびん供給者（市町村またはガラスびん利用業者等）からの要求に応じて、随意契約成立分ガラスびんの再商品化製品使用「証明書」（本発明の「再商品化製品使用証明書」に相当）を発行するために、種々のデータベース（契約情報データベース、企業情報データベース等）の中から必要なデータ（ガラスびん取引量、カレット取引量、カレット使用量、ガラスびん保管量、カレット保管量等）を抽出して、比較・演算処理等を行って得られた、カレット契約年月日、契約番号、契約事業者名、使用目的、使用年月日等に関する「リサイクル取引連結履歴」が記載された「リサイクル（再商品化）証明書」を作成して、かかる証明書を要求者のクライアントに送信する処理である。
【００５９】
証明書送信処理（Ｓ２２０）において証明書を入手した取引者（市町村またはガラスびん利用業者等）は、この証明書をＰＣに保存することも、またはプリントアウトすることも自由に行うことが可能である。したがって、取引者は、必要に応じて、「容器包装リサイクル法」に基づく、自主計算方式による容器包装類の年間排出見込み量を計算する際に、証明書を利用して「当該量のうち自らまたは他者への委託により回収した量」として集計を行い、申告を行うことができる（Ｓ２２１）。
【００６０】
さて、上述したステップＳ２０５からステップＳ２２１までの処理においては、本システムのステップＳ２０４の処理にて、発注条件が登録された場合（Ｓ２０４にてＹｅｓ）（すなわち、発注側クライアント１３を用いたデータ入力が行われる場合）以降における本システムの作動状態等が説明されている。
そこで、以下においては、ステップＳ２０４の処理にて、発注条件の登録でない場合（Ｓ２０４にてＮｏ）（すなわち、ガラスびん供給側クライアント１１あるいはカレット処理側クライアント１２の側からの、取引開始を求めるデータ入力が行われた場合）について説明する。
【００６１】
発注条件の登録でない場合（Ｓ２０４にてＮｏ）には、新規のガラスびん供給条件あるいは新規の商品取引条件の登録であるか否かの判断がなされる（ステップＳ２２２）。
そして、上記いずれかの条件の登録である場合（Ｓ２２２にてＹｅｓ）には、ガラスびん供給条件の登録であるか否かが判断された（ステップＳ２２３）後、それぞれのクライアント１１，１２を介して、新規のガラスびん供給条件の登録（ステップＳ２２４）あるいは新規の商品取引条件の登録（ステップＳ２２５）がなされる。これらの登録は、上述したサーバ１４の選別処理（Ｓ２０７）、送信処理（Ｓ２０８）によってメールを受けた取引者が行うもので、具体的には「データアクセスページ」（図４、図５等参照）におけるガラスびん供給条件登録内容表示欄、カレット販売条件登録内容表示欄が用いられる。ここで登録された種々の条件は、各クライアント１１，１２を介してサーバ１４に蓄積され、上述したステップＳ２０９以降の処理において利用される。
【００６２】
ガラスびん供給条件および商品取引条件のいずれの登録でもない場合（Ｓ２２２にてＮｏ）には、新規の会員情報あるいは新規の企業情報の登録であるか否かが判断され（ステップＳ２３０）、いずれの登録でもない場合（Ｓ２３０にてＮｏ）には、本システムを用いた一連の処理が終了する。
【００６３】
上記のいずれかの情報登録を行う場合（Ｓ２３０にてＹｅｓ）には、企業情報登録か否かが判断され（ステップＳ２３１）、企業情報の登録（ステップＳ２３２）あるいは会員情報の登録（ステップＳ２３３）がなされる。
具体的には、企業情報登録（Ｓ２３２）の際には、後述する企業情報登録者（取引者）のクライアントからインターネット１５を介して、月間集計データや商品（ガラスびん・カレット）取引情報等についての種々のデータが、サーバ１４内のデータベース（企業情報データベース）に登録される。
また、会員情報登録（Ｓ２３３）の際には、会員情報登録者（取引者）のクライアントからインターネット１５を介して、会員登録に関するデータ等が、サーバ１４内のデータベース（会員情報データベース）に登録される。そして、これらの登録が行われた後、サーバ１４は会員登録内容を確認し、新規入会の会員登録である場合には、新規発行のＩＤ番号、パスワード、専用メールアドレス等を登録者にメールにて送信する。
なお、所定の会員情報および企業情報の登録が終了した後には、各クライアントにおける処理（新規登録処理）（Ｓ２３０〜Ｓ２３３）は終了する。
【００６４】
また、上記登録情報の他、取引状況および保管量、もしくは買入情報、供給情報、販売情報等については、以下の図６〜図８に例示された態様の「データアクセスページ」にて認識可能である。
【００６５】
図６は、発注側クライアント１３を介してサーバ１４に企業情報を登録（Ｓ２３２）する際に用いるＷｅｂページ画面の一例を示すもので、これにも先の発注条件等と同様に、ＩＤ番号記載欄６１、パスワード記載欄６２が設けられているため、入力されたデータがＩＤ番号等に応じて、サーバ１４内に適切に登録管理される。また、データ集計月選択欄６３、ガラスびん・カレット購入量表示欄６４、ガラスびん・カレット使用量表示欄６５、ガラスびん・カレット保管量（在庫量）表示欄６６等が設けられているため、過去の取引状況および現在の保管量等を容易に認識できる。さらに、この図６においては、ガラスびん・カレット買入情報記載欄６７が設けられており、ステップＳ２０５における発注条件の登録とは別の意味で，発注時よりも納期や使用時期での緊急性が少ない商品の買入情報として、この欄６７を用いてサーバ１４内の買入情報データベースに登録することができる。すなわち、発注側クライアント利用者の希望する色、粒度、価格、その他の条件を、この欄６７にて記載し登録することが可能である。
【００６６】
図７は、ガラスびん供給側クライアント１１を介してサーバ１４に企業情報を登録（Ｓ２３２）する際に用いるＷｅｂページ画面の一例を示すもので、ガラスびん供給量／回収量表示欄７４、ガラスびん保管量（在庫量）表示欄７６等が設けられているため、過去の取引状況および現在の保管量等を容易に認識できる。また、この図７において、ガラスびん供給情報記載欄７７が設けられており、ここに、ガラスびん供給者（市町村あるいはガラスびん利用業者等）の希望する色、価格、供給条件等を入力することで、供給者側からの取引開始を求める供給情報として、サーバ１４内の供給情報データベースに登録することができる。さらに、この図７においても、図６と同様に、ＩＤ番号記載欄７１、パスワード記載欄７２、およびデータ集計月選択欄７３が設けられているため、適切な管理等を行うことができる。
【００６７】
図８は、カレット処理側クライアント１２を介してサーバ１４に企業情報を登録（Ｓ２３２）する際に用いるＷｅｂページ画面の一例を示すもので、ガラスびん・カレット引取量表示欄８４、ガラスびん・カレット販売量表示欄８５、ガラスびん・カレット保管量（在庫量）表示欄８６等が設けられているため、過去の取引状況および現在の保管量等を容易に認識できる。また、この図８においては、ガラスびん販売情報記載欄８７が設けられており、ここに、再生処理業者の希望する色、粒度、販売価格、販売条件等を入力することで、カレット処理業者側からの取引開始を求める販売情報として、サーバ１４内の販売情報データベースに登録することができる。さらに、この図８においても、図６等と同様に、ＩＤ番号記載欄８１、パスワード記載欄８２、およびデータ集計月選択欄８３が設けられているため、適切な管理等を行うことができる。
【００６８】
上記新規登録処理（Ｓ２３２）が終了した後、サーバ１４においては、抽出確認処理（ステップＳ２３４）が行われる。
ここでの抽出確認処理（Ｓ２３４）とは、サーバが、企業情報データベースのガラスびん供給情報テーブルから供給情報登録日を抽出して、ガラスびん供給者（市町村、ガラスびん利用業者等）からのガラスびん供給情報新規登録を確認する処理である。
【００６９】
次いで、抽出確認処理（Ｓ２３４）の後、サーバ１４においては、検索抽出処理（ステップＳ２３５）が行われる。
検索抽出処理（Ｓ２３５）は、サーバ１４が、新規登録が確認された市町村あるいはガラスびん利用業者毎に、会員情報データベースから所在地を読み出して、それぞれに該当する同一市町村あるいは同一県内に所在する再生処理業者のデータを、会員情報データベースから検索し抽出する処理である。
【００７０】
次いで、検索抽出処理（Ｓ２３５）の後、サーバ１４においては、選別処理（ステップＳ２３６）が行われる。
選別処理（Ｓ２３６）は、サーバ１４が、新規登録が確認された市町村あるいはガラスびん利用業者毎に抽出された再生処理業者のデータを同一市町村とそれ以外のものに分離し、同一市町村以外のものについては数値（例えば郵便番号）順に並べ替え、次いで同一市町村に所在するものから、予め設定した優先度（契約係数、契約履行係数、品質係数等）の順位に従って、上位から所定順位（例えば上位２社）までの再生処理業者を選別する処理である。
【００７１】
次いで、選別処理（Ｓ２３６）の後、サーバ１４においては、送信処理（プレゼンテーション）（ステップＳ２３７）が行われる。
この送信処理（プレゼンテーション）（Ｓ２３７）は、サーバ１４が、新規登録が確認された市町村あるいはガラスびん利用業者毎に抽出し選別した再生処理業者宛に、新規登録されたガラスびん供給情報等をメールにて送信する処理である。
【００７２】
また、サーバ１４においては、抽出確認処理（ステップＳ２３８）として、企業情報データベースのカレット販売情報テーブル（商品取引情報テーブル）から販売情報登録日を抽出して、再生処理業者からのカレット販売情報新規登録を確認する処理が行われる。
【００７３】
次いで、この抽出確認処理（Ｓ２３８）の後、サーバ１４においては、検索抽出処理（ステップＳ２３９）が行われる。
ここでの検索抽出処理（Ｓ２３９）とは、サーバ１４が、カレット販売情報の新規登録が確認された再生処理業者毎に、会員情報データベースからその再生処理業者の所在地を読み出して、かかる再生処理業者と同一市町村あるいは同一県内に所在するガラスびん製造業者または他用途使用業者（カレット使用事業者）のデータを、会員情報データベースから検索し抽出する処理である。
【００７４】
次いで、この検索抽出処理（Ｓ２３９）の後、サーバ１４においては、選別処理（ステップＳ２４０）が行われる。
ここでの選別処理（Ｓ２４０）とは、サーバ１４が、新規登録が確認された再生処理業者毎に抽出したカレット使用事業者を同一市町村とそれ以外のものに分離し、同一市町村以外のものについては数値（例えば郵便番号）順に並べ替え、次いで同一市町村に所在するものから、予め設定した優先度（契約係数、契約履行係数、品質係数等）の順位に従って、上位から所定順位（例えば上位５社）までのカレット使用事業者を選別する処理である。
【００７５】
次いで、選別処理（Ｓ２４０）の後、サーバ１４においては、送信処理（プレゼンテーション）（ステップＳ２４１）が行われる。
この送信処理（プレゼンテーション）（Ｓ２４１）は、サーバ１４が、新規登録が確認された再生処理業者毎に抽出し選別したカレット使用事業者宛に、新規登録されたカレット販売情報等をメールにて送信する処理である。
【００７６】
プレゼンテーション（Ｓ２３７，Ｓ２４１）を受けた再生処理業者あるいはカレット使用事業者等においては、サーバ１４から送信されてきたガラスびん供給情報、カレット販売情報に基づいて、それぞれ自分に最適な条件となる取引者を選択し、サーバ１４を介して商談が開始される（ステップＳ２４２）。
このように、商談が開始された（Ｓ２４２）後には、上述したように、ステップＳ２１９以降の処理が行われ、本実施形態にかかるシステムにおける一連の処理が終了する。
【００７７】
なお、本発明にかかる「発注条件」は、上述したガラスびん・カレット買入情報（図６参照）を含む概念であり、「ガラスびん供給条件」は、上述したガラスびん供給情報（図７参照）を含む概念であり、「商品取引条件」は、上述したカレット販売情報（図８参照）を含む概念である。
【００７８】
本実施形態にかかるガラスびんカレット取引システムは、以上のように構成され機能しているため、次のような効果を得ることができる。
【００７９】
まず、本実施形態にかかるシステムによれば、サーバ１４等を用いてインターネット１５上にＷｅｂサイトを開き、ガラスびんおよびカレットの在庫情報等を随時提供しているため、ガラスびんおよびカレットの円滑な流通を図ることが可能となる。
【００８０】
また、これまでのガラスびんカレットの取引においては、指定法人を介した入札制度を用いる場合は、マクロ的なガラスびん再生使用量等の把握は可能であったが、ミクロ的な随意取引、および他用途使用分については、的確なデータを把握することが困難であった。
しかしながら、本実施形態によれば、全ての取引がサーバ１４を介して行われ、取引量等に関する種々のデータが、全てサーバ１４内に記憶管理されているため、随意取引等を行った場合であっても、データを的確に把握することが可能となる。そして、これらのデータを必要に応じて、演算・加工等することが可能であるために、種々の証明書の発行処理等を容易に行うことができる。
【００８１】
また、本実施形態によれば、発注側クライアント１３には、発注量以上の量（発注量の所定係数倍の量）に対応した情報が、サーバ１４から送信される。つまり、発注側クライアント１３においては、発注量に対して「相見積もり」を受け取るような態様となるため、発注者は、より適した条件（価格、量等）を選択した上で、実際の取引を行うことが可能となる。
なお、これは、発注側クライアント１３の場合に限られず、ガラスびん供給側クライアント１１等においても、同様の処理（供給量以上の量（供給量の所定係数倍の量）に対応した情報の受信（相見積もり））がなされる。
【００８２】
また、本実施形態においては、先に説明した「優先度」以外にも、種々の条件や情報（サーバ１４内に記憶管理されている条件や情報）に基づいて、取引候補者（例えば、図２における「送信処理」にて送信されるガラスびん供給者、発注者、再生処理業者等）の順位を定めてもよい。かかる順位を定める際の条件としては、例えば、取引者の所在地、ガラスびんおよびカレットの種類に関する条件、取引スケジュール条件（供給時期、使用時期等のマッチング条件等）等があげられる。
このような条件に基づいて、優先順位を定めれば、例えば、より近隣に位置する取引者に関する情報が優先的に送信されるため、容易に近隣の取引者との取引を実現することが可能となり、搬送費用等を低減することができる。また、容易に所望のカレット等を取引することができる。さらに、容易により最適な取引スケジュールに基づいてカレット等の取引を実現することができる。
【００８３】
なお、本発明は上記実施形態に限定されるものではなく、その趣旨を逸脱しない限りにおいて、上述したもの以外に種々の変更を行うことが可能である。
【００８４】
例えば、上記実施形態においては、サーバ１４は、１台のＰＣ（パーソナルコンピュータ）等のハードウエアにて構成された場合について説明したが、本発明は、この構成に限定されず、例えば、情報収集用、情報分析用、情報送信用等に適応した複数台のＰＣ等のハードウエア等を用いて構成されてもよい。
【００８５】
また、上記実施形態においては、サーバ１４にアクセス（Ｓ２０１）した後、リサイクル分析を行うか否か（Ｓ２０２）、発注条件登録か否か（Ｓ２０４）、および供給、取引条件登録か否か（Ｓ２２２）の判断を行った後に、新規の会員、企業情報登録か否か（Ｓ２３０）の判断を行う場合について説明したが、本発明はこの構成に限定されず、例えば、アクセス後、直ちに新規登録等か否かの判断を求め、新規登録である場合には、即座にステップＳ２３０以降の処理を行うべく、システムを構成してもよい。
【００８６】
【発明の効果】
以上説明したように本発明によれば、ガラスびん供給側クライアント、カレット処理側クライアント、および発注側クライアントにインターネットを介して接続可能に構成されているサーバを備えたガラスびんカレット取引システムを構成することによって、遠隔地のカレット処理業者や他用途使用業者が自由に参加可能な、円滑且つ効率的なガラスびんカレットに関する取引を実現することができる。
【図面の簡単な説明】
【図１】本発明の実施形態にかかるガラスびんカレット取引システムの概略図である。
【図２】本発明の実施形態にかかるガラスびんカレット取引システムのフローチャートである。
【図３】本実施形態にかかるガラスびんカレット取引システムにて用いられる「データアクセスページ」（発注条件入力時）の一例を示したものである。
【図４】本実施形態にかかるガラスびんカレット取引システムにて用いられる「データアクセスページ」（ガラスびん供給条件入力時）の一例を示したものである。
【図５】本実施形態にかかるガラスびんカレット取引システムにて用いられる「データアクセスページ」（商品（ガラスびん、カレット）取引条件入力時）の一例を示したものである。
【図６】本実施形態にかかるガラスびんカレット取引システムにて用いられる「データアクセスページ」（ガラスびん・カレットに関する購入量、使用量、保管量等確認時）の一例を示したものである。
【図７】本実施形態にかかるガラスびんカレット取引システムにて用いられる「データアクセスページ」（ガラスびんに関する供給量、回収量、保管量等確認時）の一例を示したものである。
【図８】本実施形態にかかるガラスびんカレット取引システムにて用いられる「データアクセスページ」（ガラスびんに関する引取量、販売量、保管量等確認時）の一例を示したものである。
【符号の説明】
１１…ガラスびん供給側クライアント
１１Ａ…市町村等クライアント
１１Ｂ…ガラスびん利用業者クライアント
１２…カレット処理側クライアント
１３…発注側クライアント
１４…サーバ
１５…インターネット
【図１】
2004030520.tif 000003
【図２】
2004030520.tif 000004
【図３】
2004030520.tif 000005
【図４】
2004030520.tif 000006
【図５】
2004030520.tif 000007
【図６】
2004030520.tif 000008
【図７】
2004030520.tif 000009
【図８】
2004030520.tif 000010